(57)【特許請求の範囲】
【請求項１】
原稿載置台と、
原稿載置台に開閉可能に取付られた原稿カバーと、
前記原稿載置台に関連して設けられ、原稿の読取が指示されたことに応答して、前記原稿カバーの開閉を行なって前記原稿載置台上に載置された原稿の画像を読取るための原稿読取手段と、
前記原稿載置台及び前記原稿カバーに関連して設けられ、前記原稿カバーの開閉を検知するための検知手段と、
読取られた原稿を出力時にどのような倍率でどのように配置するかに関する指定と、前記原稿読取手段による原稿の読取開始との指示とを行なう操作パネルと、
前記操作パネルにより指定された倍率及び配置にしたがって、前記原稿読取手段により読取られた原稿の画像を配置して出力するための原稿出力手段と、
前記操作パネルによって、原稿画像の特定の倍率及び配置が指定されているときには、前記原稿読取手段による原稿の読取が完了したことに応答して、前記原稿読取手段による原稿の読取を禁止する制御手段と、
前記操作パネルによって、前記特定の倍率及び配置が指定されているときには、前記原稿カバーが開かれ、かつ閉じられたことが前記検知手段により検知されたことに応答して、前記制御手段による原稿の読取の禁止を解除する解除手段とを含む、画像処理装置。
【請求項２】
前記原稿画像の特定の配置は、Ｎｉｎ１であることを特徴とする、請求項１に記載の画像処理装置。
【請求項３】
前記原稿画像の特定の配置は、両面コピーであることを特徴とする、請求項１に記載の画像処理装置。
【請求項４】
前記制御手段によって、前記原稿読取手段による原稿の読取が禁止されたときには、原稿の読取が禁止されたことを報知するための報知手段をさらに含む、請求項１から請求項３のいずれかに記載の画像処理装置。
【請求項５】
前記制御手段によって、前記原稿読取手段による原稿の読取が禁止されたときには、原稿の入替を促す報知を行うための報知手段をさらに含む、請求項１から請求項３のいずれかに記載の画像処理装置。
【請求項６】
原稿載置台と、原稿載置台に開閉可能に取付られた原稿カバーと、前記原稿載置台に関連して設けられ、原稿の読取が指示されたことに応答して、前記原稿カバーの開閉を行なって前記原稿載置台上に載置された原稿の画像を読取るための原稿読取手段と、前記原稿載置台及び前記原稿カバーに関連して設けられ、前記原稿カバーの開閉を検知するための検知手段とに接続されるコンピュータにおいて、前記原稿カバーを開閉して前記原稿台上に載置された原稿の読取を行ない画像データを出力する画像処理方法であって、
コンピュータが、前記検知手段の出力により、前記原稿カバーの開閉を検知するステップと、
コンピュータが、前記原稿読取手段により読取られた原稿を出力時にどのような倍率でどのように配置するかに関する利用者の指定の入力を受けるステップと、
コンピュータが、利用者により原稿の読取が指示されたことに応答して、前記原稿カバーの開閉を行なって前記原稿載置台上に載置された原稿の画像を読取るように前記原稿読取手段に指示するステップと、
コンピュータが、利用者により指定された原稿の倍率及び配置にしたがって、前記指示するステップで読取られた原稿の画像を配置して出力するステップと、
コンピュータが、利用者により原稿画像の特定の倍率及び配置が指定されているときには、前記指示するステップの後に、前記原稿読取手段による次の原稿の読取を禁止するステップと、
コンピュータが、利用者により前記特定の倍率及び配置が指定されているときには、前記原稿カバーが開かれ、かつ閉じられたことが前記検知手段により検知されたことに応答して、前記原稿読取手段による次の原稿の読取の禁止を解除するステップとを含む、画像処理方法。
【発明の詳細な説明】
【技術分野】
【０００１】
本発明は、画像を読取って所定の処理を行なう画像処理装置に関し、特に、複数枚の画像を読取って所定の態様で配置する機能を持つ画像処理装置に関する。
【背景技術】
【０００２】
画像形成装置において複数枚の原稿を読取る方式には２種類ある。１つは原稿を原稿載置台上に１枚ずつ置き順番に読取る方式である。もう１つは画像形成装置の原稿カバー上にＡＤＦ（Ａｕｔｏ  Ｄｏｃｕｍｅｎｔ  Ｆｅｅｄｅｒ）装置を設けて、原稿を搬送しながら順番に読取る方式である。
【０００３】
ＡＤＦ装置を用いて読取る方式の場合は、原稿カバーを閉めた状態で原稿を装置にセットするため、原稿をセットする前に原稿載置台の上に何も載っていないことをあらかじめ確認する必要がある。
【０００４】
特許文献１では、載置台上に原稿を残したままの状態でＡＤＦ装置を用いた読取動作を行なわないために、原稿載置台を用いて読取を行なった後はＡＤＦ装置自体を一度開閉しないとＡＤＦ装置での読取動作を禁止するという技術が開示されている。
【特許文献１】特開２００３−１９８８０３
【発明の開示】
【発明が解決しようとする課題】
【０００５】
現在の画像処理装置の機能として、複数枚（Ｎ枚）の原稿を読取り縮小し、１つの画像データとして再生成するいわゆるＮｉｎ１機能（マルチショット機能）がある。この機能は、複数枚の原稿を一覧できる点及び、記録紙を削減できる点において利用者にとって便利な機能である。また、印刷用途以外にも複数の画像ファイルを一つにまとめることができ、多方面に利用することができる。
【０００６】
しかし、この機能では原稿の読取順序を正しく処理することが必要である。そのため、ＡＤＦを使用せず、手作業で原稿を交換する場合には、利用者の原稿交換忘れ等によって、意図しない順序で読取られることも考えられる。間違った順序で読取をし、印刷を行なった時には記録紙を無駄に消費してしまう。データとして扱うときも正確性に欠ける等の問題が生じる。また、利用者にとっても原稿の読取を最初から行なう必要があり、大きな負担になるという問題があった。
【０００７】
こうした問題はＡＤＦを使用すれば防止できる。しかし、ＡＤＦでは読取対象の原稿を毀損したりするおそれがある。そのため、手作業でＮｉｎ１の作業を行なう場合もあり、そうした場合に上記した誤りが発生するおそれがある。また、例えばコンビニエンスストア等に設置された画像処理装置では、原稿を毀損してしまうことを防止するため、ＡＤＦが設けられていないことが多い。
【０００８】
同様の問題は、例えば片面原稿から用紙の両面にコピーしたりする場合等、原稿の読取順序が重要な場合には常に発生する可能性がある。
【０００９】
特許文献１の技術はあくまでＡＤＦ装置を使用する場合の問題解決のためであり、ＡＤＦを備えていない装置で、又はＡＤＦを使用しないで、複数の原稿画像を所定の態様で配置する処理を実行する場合に利用可能な技術ではない。
【００１０】
本発明は、ＡＤＦを使用せずに、複数の原稿画像を所定の態様で配置する処理の原稿読取時に、意図しない順序で原稿が読取られることを防ぐことのできる画像処理装置を提供することである。
【課題を解決するための手段】
【００１１】
本発明の第１の局面に係る画像処理装置は、原稿載置台と、原稿載置台に開閉可能に取付られた原稿カバーと、原稿載置台に関連して設けられ、原稿載置台上に載置された原稿の画像を読取るための原稿読取手段と、原稿載置台及び原稿カバーに関連して設けられ、原稿カバーの開閉を検知するための検知手段と、読取られた原稿を出力時にどのように配置するかを指定する操作パネルと、操作パネルにより指定された配置にしたがって、原稿読取手段により読取られた原稿の画像を配置して出力するための原稿出力手段と、操作パネルによって、原稿画像の特定の配置が指定され、かつ検知手段により原稿カバーの開閉動作が検知されないときには、原稿読取手段による原稿の読取を禁止する制御手段とを含む。
【００１２】
制御手段は、操作パネルによって原稿画像の特定の配置が指定されたとき、原稿カバーの開閉動作が検知されない時には原稿の読取を禁止する。この制御手段の機能により、読取順序を正しく処理する必要がある時に、意図しない順序で読取られることを防ぐことができる。その結果、複数の原稿画像を意図した順序で読取ることができる。
【００１３】
好ましくは、原稿画像の特定の配置は、Ｎｉｎ１である。
【００１４】
より好ましくは、原稿画像の特定の配置は、両面コピーである。
【００１５】
Ｎｉｎ１及び両面コピーなど、複数の原稿画像を所定の様態で配置する時に制御手段の上記した機能が実行される。そのため、Ｎｉｎ１及び両面コピーについて原稿の読取順序が変わってしまうおそれが小さい。
【００１６】
より好ましくは、制御手段は、検知手段により原稿カバーの閉状態が検知されないときには原稿読取手段による原稿の読取を禁止する。
【００１７】
原稿カバーが開いている時には、読取動作を禁止する。これにより、原稿が正しくセットされない状態での読取動作を防ぎ、正確な読取処理を行なうことができる。
【００１８】
さらに好ましくは、制御手段は、操作パネルによって原稿画像の特定の配置が指定されているときには、原稿読取手段による原稿の読取後、検知手段により原稿カバーの開閉が検知されないと原稿読取手段による次の原稿の読取を禁止する。
【００１９】
原稿カバーの開閉を検知することで、前の原稿を載置台上にセットしたままで次原稿の読取が開始されてしまうことを防ぐことができる。
【００２０】
より好ましくは、画像処理装置は、制御手段によって、原稿読取手段による原稿の読取が禁止されたときには、原稿の読取が禁止されたことを報知するための報知手段をさらに含む。
【００２１】
さらに好ましくは、画像処理装置は、制御手段によって、原稿読取手段による原稿の読取が禁止されたときには、原稿の入替を促す報知を行うための報知手段をさらに含む。
【００２２】
制御手段によって原稿の読取が禁止されたときに、報知する手段を含むことにより、利用者に対して画像処理装置の状況を伝えることができる。利用者はその報知にしたがい対処をすることで、意図しない順序で原稿が読取られることを防ぐことができる。
【００２３】
本発明の第２の局面に係る画像処理方法は、コンピュータが、原稿載置台に開閉可能に取付られた原稿カバーの開閉を検知するステップと、コンピュータが、読取られた原稿を出力時にどのように配置するかに関する利用者の指定の入力を受けるステップと、コンピュータが、原稿載置台上に載置された原稿の画像を読取るステップと、コンピュータが、利用者により指定された原稿の配置にしたがって、読取るステップで読取られた原稿の画像を配置して出力するステップと、コンピュータが、利用者により原稿画像の特定の配置が指定され、かつ検知するステップにより原稿カバーの開閉動作が検知されないときには、次の原稿の読取を禁止するステップとを含む。
【００２４】
さらに好ましくは、画像処理装置はスキャナである。
【発明の効果】
【００２５】
以上のように、本画像処理装置によれば、原稿カバーの開閉を検知して原稿の読取動作を制御することにより、利用者の原稿交換忘れなどを防ぐことができる。その結果、ＡＤＦを使用せずに、複数の原稿画像を所定の様態で配置する処理の原稿読取時に、意図しない順序で原稿が読取られることを防ぐことのできる画像処理装置を提供することができる。
【発明を実施するための最良の形態】
【００２６】
以下、図面を参照しつつ本発明の実施の形態について説明する。以下の説明及び図面においては、同一部品には同じ参照符号および名称を付してある。それらの機能も同様である。したがって、それらについての詳細な説明は繰返さない。また、以下の実施の形態では、いわゆる複合機のような画像形成機能を持つ装置に適用された画像処理装置について説明するが、画像形成機能を持たない装置、例えばスキャナ等にも本願発明を適用することが可能である。
【００２７】
−構成−
図１及び図２は、本発明の一実施の形態に係る画像処理装置である原稿搬送読取装置２２の、原稿カバーを閉じたとき及び開いたときの斜視図、図３はこの原稿搬送読取装置２２を原稿搬送読取部として持つ画像形成装置２０の外観構成を示す斜視図、図４は画像形成装置２０の内部構成を簡略化して示す図である。
【００２８】
特に図１及び図２を参照して、本実施の形態に係る原稿搬送読取装置２２は、手操作により原稿を読取る際に原稿が載置される、原稿載置台となるガラス製のプラテンガラス４４と、プラテンガラス４４に置かれた原稿を押圧し、外部から入射する光を遮るための原稿カバー１２２と、原稿カバー１２２上に設けられ、原稿カバー１２２上の原稿セットトレイ３２上に載置された複数の原稿を連続して読取る際に原稿を搬送するためのＡＤＦ１２０と、ＡＤＦ１２０を用いて原稿を搬送しながら読取る時に使用される原稿読取部１２４と、原稿搬送読取装置２２の操作を行なう際に利用者が用いる操作部３６と、原稿カバー１２２の開閉を検知するための原稿カバー開閉検知センサ１２８と、プラテンガラス４４上に載置された原稿のサイズを検知するために使用される、プラテンガラス４４の内部の所定位置に配置された複数個の反射型センサ１３０とを含む。これら反射型センサ１３０は、プラテンガラス４４の上に原稿が置かれているか否かを検出する原稿検出センサを兼ねる。原稿セットトレイ３２上には、原稿がセットされたことを検出するための原稿検出センサ３４が設けられている。
【００２９】
この原稿搬送読取装置２２は、ＡＤＦ１２０により読取原稿を搬送しながら原稿読取部１２４で原稿を読取る方式と、プラテンガラス４４上に原稿を置き読取る方式との双方で動作可能である。本実施の形態は、プラテンガラス４４上に原稿を置き読取る方式に適用される。
【００３０】
原稿カバー開閉検知センサ１２８は原稿カバーの開閉状態によって異なる値Ｄ（以下「カバー開閉値」と呼ぶ。）をとる信号を出力する。原稿カバーが閉じている状態の時にはカバー開閉値Ｄは論理０となり、原稿カバーが開いている状態の時にはカバー開閉値Ｄは論理１となる。
【００３１】
複数の反射型センサ１３０はそれぞれ、プラテンガラス４４上の自分の位置に原稿が置かれているか否かを検出し、検出信号を出力する。それら検出信号の和信号はプラテンガラス４４上に原稿が置かれているか否かを示す。その和信号の値（以下「載置台状態値」と呼ぶ。）Ｅは、プラテンガラス４４の上に原稿が検出されない時には論理０、原稿が検出された場合には論理１となる。
【００３２】
特に図３及び図４を参照して、画像形成装置２０はデジタル複合機であり、原稿の画像を読取って記録用紙に印刷する複写モード、原稿の画像を読取って送信すると共に原稿の画像を受信して記録用紙に印刷したりするファクシミリモード、及び図外の情報端末装置からネットワークを通じて受信した画像を記録用紙に印刷するプリンタモード等のいずれかで動作することができる。なお、図４において、図面を分かりやすくするために反射型センサ１３０は図示していない。
【００３３】
画像形成装置２０は、上記した原稿搬送読取装置２２に加え、原稿搬送読取装置２２及び他の装置から送信される画像データによって示される原稿の画像を記録用紙に印刷するための画像形成部２４と、画像形成部２４に対し、印刷用の記録用紙を給紙する給紙部２６と、画像形成部２４により印刷され排出される記録用紙を、利用者により指定された形で処理する排紙処理装置２８と、外部とのデータのやり取りを行なうためのＵＳＢ（登録商標）（Ｕｎｉｖｅｒｓａｌ  Ｓｅｒｉａｌ  Ｂｕｓ）インターフェイス３０とを含む。
【００３４】
ここで、複写モードでの動作説明を行なうことによって画像形成装置２０の内部構成の説明とする。
【００３５】
最初にＡＤＦ装置を用いて原稿を読取る方式での画像形成装置２０の動作を説明する。
【００３６】
原稿が原稿搬送読取装置２２の原稿セットトレイ３２にセットされると、原稿検出センサ３４が原稿のセットされたことを検出する。利用者は、原稿搬送読取装置２２の操作部３６を操作し、印刷用紙のサイズ及び変倍率等を入力設定する。その後、操作部３６の操作内容に応じて複写開始の指示が出される。
【００３７】
操作部３６の操作に応答して、原稿搬送読取装置２２では、ピックアップローラ３８により原稿セットトレイ３２上の各原稿を１枚ずつ引出し、原稿をさばき板４０及び搬送ローラ４２間を介してプラテンガラス４４へと送り出し、原稿をプラテンガラス４４上で副走査方向に搬送して原稿排出トレイ４６へと排出する。
【００３８】
このとき、第１の原稿読取部４８によって原稿の表面（下側面）が読取られる。この第１の原稿読取部４８の第１の走査ユニット５０を所定位置（図１の原稿読取部１２４に相当する位置）に移動して位置決めすると共に、第２の走査ユニット５２を所定位置に位置決めしておく。第１の走査ユニット５０の露光ランプによりプラテンガラス４４を介して原稿の表面を照射し、原稿の反射光を第１の走査ユニット５０及び第２の走査ユニット５２の各反射ミラーにより結像レンズ５４へと導き、原稿の反射光を結像レンズ５４によりＣＣＤ（Ｃｈａｒｇｅ  Ｃｏｕｐｌｅｄ  Ｄｅｖｉｃｅ）５６に集光させ、原稿の表面の画像をＣＣＤ５６上に結像させて原稿の表面の画像を読取る。
【００３９】
また、ＡＤＦ１２０に設けられた第２の原稿読取部５８によって原稿の裏面（上側面）が読取られる。この第２の原稿読取部５８は、プラテンガラス４４の上方に配置されている。第２の原稿読取部５８は、ＬＥＤ（Ｌｉｇｈｔ  Ｅｍｉｔｔｉｎｇ  Ｄｉｏｄｅ）アレイ及び蛍光灯等で構成され、原稿の裏面を照射する露光ランプ、画素毎に原稿の反射光を集光するセルフォック（登録商標）レンズアレイ、及びセルフォックレンズアレイを通じて受光した原稿の反射光を光電変換してアナログの画像信号を出力する密着イメージセンサ（ＣＩＳ：Ｃｏｎｔａｃｔ  Ｉｍａｇｅ  Ｓｅｎｓｏｒ）等を備えている。
【００４０】
次にプラテンガラス４４上に原稿を置いて読取る方式における画像形成装置２０の動作を説明する。
【００４１】
原稿搬送読取装置２２の原稿カバー１２２を開いて、プラテンガラス４４上に原稿を載置し、この状態で第１の原稿読取部４８により原稿の表面を読取る。この場合は、第１の走査ユニット５０及び第２の走査ユニット５２を相互に所定の速度関係を維持しつつ副走査方向に移動させ、第１の走査ユニット５０によってプラテンガラス４４上の原稿を露光し、第１の走査ユニット５０及び第２の走査ユニット５２によって原稿からの反射光を結像レンズ５４へと導き、結像レンズ５４によって原稿の画像をＣＣＤ５６上に結像する。
【００４２】
原稿の片面又は両面が読取られると、原稿の片面又は両面の画像を示す画像データが、後述する図６に示すマイクロコンピュータ等から構成される制御部１００に入力され、ここで画像データに各種の画像処理が施され、この画像データが画像形成部２４へと出力される。
【００４３】
画像形成部２４は、画像データによって示される原稿の画像を記録用紙に印刷するものであって、感光体ドラム６０、帯電装置６２、レーザスキャンユニット（以下、「ＬＳＵ」と称する。）６４、現像装置６８、転写装置７０、クリーニング装置７２、定着装置７４及び図示しない除電装置等を備えている。
【００４４】
また、画像形成部２４には、主搬送路７６及び反転搬送路７８が設けられており、給紙部２６から給紙されてきた記録用紙が主搬送路７６に沿って搬送される。給紙部２６は、用紙カセット８０に収納された記録用紙、又は手差トレイ８２に載置された記録用紙を１枚ずつ引出して記録用紙を画像形成部２４の主搬送路７６へと送り出す。
【００４５】
画像形成部２４の主搬送路７６に沿って記録用紙が搬送されている途中で、記録用紙が感光体ドラム６０と転写装置７０との間を通過し、更に定着装置７４を通過して、記録用紙に対する印刷が行われる。
【００４６】
感光体ドラム６０は、一方向に回転し、その表面は、クリーニング装置７２と除電装置によりクリーニングされた後、帯電装置６２により均一に帯電される。
【００４７】
ＬＳＵ６４は、原稿搬送読取装置２２からの画像データに基づいてレーザ光を変調し、このレーザ光によって感光体ドラム６０表面を主走査方向に繰り返し走査して、静電潜像を感光体ドラム６０表面に形成する。
【００４８】
現像装置６８は、トナーを感光体ドラム６０表面に供給して静電潜像を現像し、トナー像を感光体ドラム６０表面に形成する。
【００４９】
転写装置７０は、当該転写装置７０と感光体ドラム６０との間を通過していく記録用紙に感光体ドラム６０の表面のトナー像を転写する。
【００５０】
定着装置７４は、記録用紙を加熱及び加圧してその記録用紙上のトナー像を定着させる。
【００５１】
主搬送路７６と反転搬送路７８との接続位置には、分岐爪８４が配設されている。記録用紙の片面のみに印刷が行われる場合は、分岐爪８４が位置決めされ、この分岐爪８４により定着装置７４からの記録用紙が排紙トレイ８６又は排紙処理装置２８の方へと導かれる。
【００５２】
また、記録用紙の両面に印刷が行われる場合は、分岐爪８４が所定方向に回動されて記録用紙が反転搬送路７８の方へと導かれる。そして、記録用紙は、反転搬送路７８を通過して、その表裏を反転されて主搬送路７６へと再び搬送され、主搬送路７６の再度の搬送途中で、その裏面への印刷が行なわれて排紙トレイ８６又は排紙処理装置２８の方へと導かれる。
【００５３】
上記のようにして印刷された記録用紙は、排紙トレイ８６又は排紙処理装置２８の方へと導かれて排紙トレイ８６に排出され、又は排紙処理装置２８の各排紙トレイ８８の何れかに排出される。
【００５４】
排紙処理装置２８では、複数の記録用紙を各排紙トレイ８８に仕分けして排出する処理、各記録用紙にパンチングする処理、及び各記録用紙にステープルする処理を施す。例えば、複数部の印刷物を作成する場合は、各排紙トレイ８８に印刷物の一部ずつが割り当てられるように、各記録用紙を各排紙トレイ８８に仕分けして排出し、排紙トレイ８８毎に、排紙トレイ８８上の各記録用紙にパンチング処理又はステープル処理を施して印刷物を作成する。
【００５５】
図５は画像形成装置２０の操作部３６を示す図である。図５を参照して、操作部３６は、テンキー等を備えた操作パネル１１４と、液晶で構成された表示パネル１１６と、スタートキー１１８と、画像形成装置２０の動作モードをコピーモードへ切換えるためのコピーモードボタン１４２と、ファックス／イメージ送信モードに切換えるためのファックスモードボタン１４４と、プリンタモードに切換えるためのプリンタモードボタン１４６とを含む。スタートキー１１８内にはレディランプ１１７が設けられている。レディランプ１１７が点灯している時はスタートキー１１８の操作が有効であり、消灯している時はスタートキー１１８の操作は無効である。表示パネル１１６の表面にはタッチパネルが備えられ、表示に応じてタッチパネルを操作することにより装置への動作指示を行なうことができる。
【００５６】
図５において表示パネル１１６が表示しているのは、画像形成装置２０におけるコピーモードでの初期表示１６０である。前述のように表示パネル１１６の表面にはタッチパネルが備えられ、表示パネル１１６に表示されたソフトキーを押すとそのソフトキーに対応する処理が実行される。図５に示す例では、初期表示１６０は、読取モードを設定するための、特別機能設定モードへ推移する特別機能キー１７０と、両面コピー設定モードへ推移する両面コピーキー１７２と、原稿読取時の読取濃度設定モードへ推移するための濃度設定キー１７４と、原稿サイズ設定モードへ推移するための原稿サイズキー１７６と、拡大縮小設定モードへ推移するための倍率設定キー１７８とを含む。
【００５７】
図６は、原稿搬送読取装置２２のハードウェア構成を表すブロック図である。図６を参照して、原稿搬送読取装置２２は、ＣＰＵ（Ｃｅｎｔｒａｌ  Ｐｒｏｃｅｓｓｉｎｇ  Ｕｎｉｔ）等から構成され原稿搬送読取装置２２全体の制御をするための制御部１００と、原稿搬送読取装置２２の動作を制御するのに必要なプログラム及びデータが記憶されているＲＯＭ（Ｒｅａｄ  Ｏｎｌｙ  Ｍｅｍｏｒｙ）１０２とを含む。制御部１００は、ＲＯＭ１０２に格納されているプログラム及びデータに従って原稿搬送読取装置２２の制御を行なうとともに、原稿搬送読取装置２２の各機能に関する制御を実行する。原稿搬送読取装置２２はさらに、制御部１００による制御に従って原稿を搬送する処理を実行する、搬送モータ等を含む原稿搬送部９０と、制御部１００による演算処理結果及び画像データを一時的に記憶するためのＲＡＭ（Ｒａｎｄｏｍ  Ａｃｃｅｓｓ  Ｍｅｍｏｒｙ）１０４と、図外のファクシミリ装置及びパーソナルコンピュータ（以下、「ＰＣ」という。）に接続されたネットワーク回線Ｌと通信するための通信部１０６と、原稿搬送読取装置２２の入力データおよび処理された画像データを保存するためのＨＤＤ（Ｈａｒｄ  Ｄｉｓｋ  Ｄｒｉｖｅ）１０８と、利用者からの入力を受付けるための操作部３６とを含む。
【００５８】
前述のとおり、操作部３６は、操作パネル１１４と、タッチパネルを兼ねた表示パネル１１６と、スタートキー１１８と、スタートキー１１８に埋込まれたレディランプ１１７とを含む。
【００５９】
原稿搬送読取装置２２はさらに、原稿カバー開閉検知センサ１２８と、複数個の反射型センサ１３０と、第１の原稿読取部４８と、第２の原稿読取部５８と、原稿検出センサ３４とを含む。
【００６０】
これら要素は全て、バス１１０を介して制御部１００に接続されている。原稿搬送部９０、ＲＯＭ１０２、ＲＡＭ１０４、通信部１０６、ＨＤＤ１０８、操作パネル１１４、表示パネル１１６、レディランプ１１７、スタートキー１１８、第１の原稿読取部４８、第２の原稿読取部５８、原稿カバー開閉検知センサ１２８、原稿検出センサ３４、及び反射型センサ１３０に対する制御は、制御部１００により行なわれる。
【００６１】
図７は原稿搬送読取装置２２において、コピーモードが選択されたときに制御部１００により実行され、利用者が設定した原稿読取モードを判定し、判定結果にしたがって原稿読取手順を制御するためのプログラムの制御構造を示すフローチャートである。図７を参照してプログラムの構成を説明する。
【００６２】
図７を参照して、このプログラムは、利用者が読取モードを設定するステップＳ１０２と、ステップＳ１０２で読取モードが設定された後に実行され、その読取モードが特定の画像配置を使用する設定か否かを判定し、判定結果に応じて制御の流れを分岐させるステップＳ１０４とを含む。
【００６３】
ステップＳ１０２での表示パネル１１６における表示の例を図５及び図７〜図１０を参照して説明する。図５に示すコピーモードでの初期表示１６０から、読取濃度設定、用紙サイズ設定、拡大縮小コピー設定、両面コピー設定、及び特殊機能印刷設定等、コピーモードにおける各種読取モードを設定できる。この状態で特別機能設定モードへの移行を指示する特別機能キー１７０を利用者が押したものとする。このときの表示例を図８に示す。
【００６４】
図８を参照して、特別機能設定画面１８０は、マルチショット機能を選択するためのマルチショットキー１８２を含む、選択された機能を設定するための種々のソフトキーと、所望の機能の設定の完了後に設定画面に移行するために利用者が操作するＯＫキー１８４とを含む。
【００６５】
図９は、図８に示すマルチショットキー１８２を選択したときに、表示パネル１１６に表示されるマルチショット設定画面１９０を表す図である。図９を参照して、マルチショット設定画面１９０は、読取モードとして２ｉｎ１モードを選択するための２ｉｎ１キー１９２と、４ｉｎ１モードを選択するための４ｉｎ１キー１９４と、２ｉｎ１キー及び４ｉｎ１キー１９４のいずれかが選択されたときに、２枚又は４枚の画像を１枚の記録用紙上にどのように配置するかを選択するためのレイアウトキー１９５と、選択されたモードを決定して特別機能設定画面１８０に戻るためのＯＫキー１９６と、選択されたモードを決定して初期表示１６０に戻るためのＯＫキー１９８と、選択されたモードをキャンセルして特別機能設定画面１８０に戻るためのキャンセルキー１９９とを含む。図９では、２ｉｎ１キーが選択されているためにレイアウトキー１９５として２つのキーが表示されているが、４ｉｎ１キー１９４が選択されているときには、レイアウトキー１９５として４つのキーが表示される。
【００６６】
図１０は、図５に示す初期表示１６０において、両面コピーキー１７２を押し、両面コピー設定モードへ推移したときの表示パネル１１６に表示される両面コピー設定画面２００を表す図である。図１０を参照して、両面コピー設定画面２００は、片面から片面、片面から両面、両面から両面、及び両面から片面へのいずれかの設定を行なうための両面コピーモード設定キー２０２と、初期表示１６０に戻るためのＯＫキー２０４とを含む。
【００６７】
図５において特別機能キー１７０を押すと図８の特別機能設定画面１８０に移行し、図８の画面で例えばマルチショットキー１８２を押せば図９のマルチショット設定画面１９０に移行する。マルチショット設定画面１９０でレイアウトを設定したのち、ＯＫキー１９６を押せば図８の特別機能設定画面１８０に戻り、他の設定を行うことができる。図９のマルチショット設定画面１９０でＯＫキー１９８を押すか、図８の特別機能設定画面１８０でＯＫキー１８４を押せば画面は図５に示す初期表示１６０に戻る。この状態でスタートキー１１８を押せば、図７のステップＳ１０２の処理が終了し、ステップＳ１０４に制御が移動する。
【００６８】
本実施の形態において、特定の画像配置設定と判定される場合は、片面から両面、両面から両面、及び両面から片面へのコピー、並びに、２ｉｎ１及び４ｉｎ１モードでの印刷設定の時である。ＡＤＦを用いずにこれらの設定で原稿を読取る際には、プラテンガラス４４を用いて原稿を読取り、１枚読取る毎に次の原稿に入替える操作が必要になる。
【００６９】
このプログラムはさらに、ステップＳ１０４で特定の画像配置設定であると判定された場合（ＹＥＳの場合）に実行され、読取る原稿をカウントするための変数ｎに初期値１を代入するステップＳ１０６と、ステップＳ１０６に続き、読取開始のメッセージを表示するステップＳ１０８と、ステップＳ１０８に続き、スタートキー１１８のレディランプ１１７を消灯させスタートキー１１８に対する操作を無効にするステップＳ１０９と、ステップＳ１０９に続き、プラテンガラス４４に１枚目の原稿がセットされたか否かを反射型センサ１３０からの載置台状態値Ｅにより判定し、判定の結果に応じて制御の流れを分岐させるステップＳ１１０とを含む。
【００７０】
図１１に、ステップＳ１０８で表示パネル１１６に表示される、原稿の読取開始を案内する読取開始メッセージ２１０を示す。
【００７１】
プラテンガラス４４上に原稿がセットされたか否かは、反射型センサ１３０の検出信号の和信号の値（載置台状態値）Ｅで判定する。載置台状態値Ｅ＝１のとき、１枚目の原稿がセットされたと判定され、それ以外の場合には原稿がセットされていないと判定する。
【００７２】
ステップＳ１１０で、１枚目の原稿がセットされていない（Ｅ＝０）と判定された場合（ＮＯの場合）、制御はステップＳ１１０に戻る。すなわち、原稿がプラテンガラス４４にセットされ、かつ原稿カバー１２２が閉じられないと原稿の読取は禁止される。このとき、スタートキー１１８のレディランプ１１７が消灯していることにより、原稿読取が禁止されていることが利用者に報知される。
【００７３】
このプログラムはさらに、ステップＳ１１０で１枚目の原稿がセットされた（Ｅ＝１）と判定された場合（ＹＥＳの場合）に実行され、原稿カバー１２２が閉じられたか否かを原稿カバー開閉検知センサ１２８の出力（カバー開閉値）の値から判定し、その判定結果に応じて制御の流れを分岐させるステップＳ１１２と、ステップＳ１１２で原稿カバー１２２が閉じられた（Ｄ＝０）と判定された場合（ＹＥＳの場合）に実行され、レディランプ１１７を点灯させスタートキー１１８の操作を有効にするステップＳ１１３と、ステップＳ１１３に続き、スタートキー１１８が押されたか否かを判定し、判定結果に応じて制御の流れを分岐させるステップＳ１１４と、ステップＳ１１４でスタートキー１１８が押されたと判定された場合（ＹＥＳの場合）に実行され、ｎ枚目の原稿を読取り、読取順序を示す変数ｎの値とともにその画像をＲＡＭ１０４に記憶するステップＳ１１６とを含む。
【００７４】
ステップＳ１１４でスタートキー１１８が押されていないと判定された場合（ＮＯの場合）、制御はステップＳ１１４に戻る。また、ステップＳ１１２で原稿カバー１２２が閉じられていない（Ｄ＝１）と判定された場合（ＮＯの場合）、制御はステップＳ１１０に戻る。
【００７５】
このプログラムはさらに、ステップＳ１１６に続き、表示パネル１１６に原稿の取替えを促す表示をするステップＳ１１８と、ステップＳ１１８に続いて実行され、スタートキー１１８のレディランプ１１７を消灯させ操作を無効にするステップＳ１１９と、ステップＳ１１９に続き、読取終了キー２２２が押されたか否かを判定し、判定結果によって制御の流れを分岐させるステップＳ１２０と、ステップＳ１２０で読取終了キー２２２が押されていないと判定された場合（ＮＯの場合）に実行され、原稿カバー１２２が開けられたか否かを判定し、判定結果によって制御の流れを分岐させるステップＳ１２２とを含む。ステップＳ１２２で原稿カバーが開けられていない（Ｄ＝０）と判定された場合（ＮＯの場合）、制御はステップＳ１２２に戻る。
【００７６】
図１２は、ステップＳ１１８で表示パネル１１６に表示される、原稿の取替を報知する表示２２０を表す図である。表示２２０は、読取終了を指示するための読取終了キー２２２を含む。表示パネル１１６はタッチパネルとなっており、読取終了キー２２２をタッチすると、読取終了信号が発行される。このとき、スタートキー１１８のレディランプ１１７が消灯していることにより、原稿読取が禁止されていることが利用者に報知される。
【００７７】
このプログラムはさらに、ステップＳ１２２で原稿カバーが開けられた（Ｄ＝１）と判定された場合（ＹＥＳの場合）に実行され、原稿カバーが閉じられたか否かを判定し、判定結果によって制御の流れを分岐させるステップＳ１２４と、ステップＳ１２４において原稿カバーが閉じられたと判定されたことに応答して実行され、レディランプ１１７を点灯させスタートキー１１８の操作を有効にするステップＳ１２５とを含む。
【００７８】
ステップＳ１２４で原稿カバーが閉じられていないと判定された場合（ＮＯの場合）、制御はステップＳ１２４に戻る。つまり、原稿カバーが閉じられるまで、次の原稿の読取を開始することはできず、原稿の読取は実質的に禁止される。
【００７９】
このプログラムはさらに、ステップＳ１２５に続き、スタートキー１１８が押されるまで待機するステップＳ１２６と、ステップＳ１２６でスタートキー１１８が押されたと判定された場合（ＹＥＳの場合）に実行され、変数ｎの値に１を加算した後制御をステップＳ１１６に戻すステップＳ１２８とを含む。
【００８０】
このプログラムはさらに、ステップＳ１２０で読取終了キー２２２が押されたと判定された場合（ＹＥＳの場合）に実行され、設定された読取モードと、各画像の読取順序とに従って読取画像の配置処理を行なうステップＳ１３０と、ステップＳ１３０に続き、配置処理された画像を設定に従って印刷する処理を実行した後、プログラムの実行を終了するステップＳ１３２とを含む。なお、このフローチャートはコピーモード時に実行されるフローチャートである。読取った画像を電子メールで送信したり、ファイルとして保存したりする場合には、ステップＳ１３２で印刷の代わりにそれぞれ画像の保存処理又は送信処理を実行すればよい。一般的にこのステップＳ１３０及びステップＳ１３２で原稿画像に対して行われる処理は、指定にしたがって、Ｎｉｎ１等の態様で原稿の画像を配置し、ファイル、記録用紙、又は電子メールに出力する処理ということができる。
【００８１】
このプログラムはさらに、ステップＳ１０４で特定の画像配置設定ではないと判定された場合（ＮＯの場合）に実行され、プラテンガラス４４に載置された原稿を読取るステップＳ１３６と、ステップＳ１３６に続き、表示パネル１１６に原稿の取替えを促す表示をするステップＳ１３８と、ステップＳ１３８に続き、読取終了を指示するための読取終了キー２２２が押されたか否かを判定し、判定結果によって制御の流れを分岐させるステップＳ１４０とを含む。ステップＳ１４０で読取終了キー２２２が押されていないと判定された場合（ＮＯの場合）、及び押されたと判定された場合（ＹＥＳの場合）、制御はステップＳ１３６及びステップＳ１３２にそれぞれ進む。したがって、原稿の読取終了キー２２２が押されなければ次の原稿の読取が実行される。
【００８２】
−動作−
本実施の形態に係る原稿搬送読取装置２２は以下のように動作する。以下の説明は、コピーモードの時に限定するが、他のモードのときも原稿搬送読取装置２２が同様に動作することは明らかである。また、ＡＤＦを使用する場合の原稿搬送読取装置２２の動作については本発明には直接関係せず、かつその概略については構成の項ですでに説明してあるので、ここでは説明しない。
【００８３】
以下の説明では、利用者が２ｉｎ１印刷を行なうことを想定する。画像形成装置２０は初期状態にあり、表示パネル１１６には初期表示１６０（図５参照）が表示されているものとする。まず利用者は、コピーモードボタン１４２を押してコピーモードを選択する。次に、初期表示１６０から「特別機能」を選択する。次に表示される特別機能設定画面１８０（図８参照）で「マルチショット」を選択する。表示は図９に示すマルチショット設定画面１９０となる。ユーザはマルチショット設定画面１９０で２ｉｎ１キーを選択し、レイアウトキー１９５を必要なら設定し、ＯＫキー１９６又はＯＫキー１９８を押す。ここでは、他に何も設定しないものとして、ＯＫキー１９８を押したものとする。画面は図５に示す初期表示１６０に戻る。ただし、初期表示１６０内に、ユーザにより設定された内容が表示されている（図５には図示せず）。
【００８４】
この状態で利用者がスタートキー１１８を押すと、図７のステップＳ１０２の処理が終了し、制御はステップＳ１０４に進む。ステップＳ１０４での判定結果はＹＥＳとなるので、制御はステップＳ１０６からステップＳ１０８に進む。ステップＳ１０６で変数ｎに１が代入され、ステップＳ１０８では表示部に「原稿をセットして［スタート］を押してください」とメッセージが表示され、ステップＳ１０９でスタートキー１１８のレディランプ１１７が消灯する。
【００８５】
利用者は原稿カバー１２２（図２及び図３参照）を開け、プラテンガラス４４上に原稿をセットして原稿カバーを閉じる。すると反射型センサ１３０が原稿のセットされたことを検知し、さらに原稿カバー開閉検知センサ１２８が原稿カバーが閉じられたことを検知する。図７のステップＳ１１０及びステップＳ１１２の判定結果はＹＥＳとなり、ステップＳ１１３でスタートキー１１８の操作が有効となる。この結果レディランプ１１７が点灯するので利用者はスタートキーを押す（ステップＳ１１４でＹＥＳ）。
【００８６】
原稿搬送読取装置２２は１枚目の原稿を読取る（ステップＳ１１６）。１枚目の原稿の読取が終わると、ステップＳ１１８で「次の原稿をセットして［スタート］を押してください。」というメッセージが表示され、スタートキー１１８が無効化されて（ステップＳ１１９）スタートキー１１８のレディランプ１１７が消灯する。次の原稿を読取らせる場合は、利用者は原稿カバー１２２を開けプラテンガラス４４上から１枚目の原稿を取出し、２枚目の原稿をプラテンガラス４４上にセットして原稿カバー１２２を閉じる。すると反射型センサ１３０が原稿のセットされたことを検出し、原稿カバー開閉検知センサ１２８が原稿カバー１２２の閉じられたことを検出する。図７のステップＳ１２２及びステップＳ１２４の判定結果はＹＥＳとなり、ステップＳ１２５でスタートキー１１８が有効化される。スタートキー１１８のレディランプ１１７が点灯するので、利用者はスタートキー１１８を押す（ステップＳ１２６でＹＥＳ）。原稿枚数を表す変数ｎに１が加算され（ステップＳ１２８）、原稿搬送読取装置２２はステップＳ１１６で次の原稿を読取る。以下、３枚目以降の原稿があれば上記した処理が繰返される。
【００８７】
原稿の読取がすべて終わった場合は、利用者は、ステップＳ１２０において、ステップＳ１１８で表示された原稿の取替を促す表示２２０（図１２参照）中にある、読取終了キー２２２をタッチする。すると、図７のステップＳ１２０での判定結果がＮＯとなり、以上の処理で読取られた画像がステップＳ１３０で２ｉｎ１形式に再配置され、ステップＳ１３２でその画像が印刷される。
【００８８】
４ｉｎ１、両面コピー等の特定の画像配置設定での処理も、上と同様に行われる。それらの相違は、ステップＳ１３０で行われる再配置の形式のみである。したがってここではそれらについての詳細な説明は行わない。
【００８９】
以上のように、本実施の形態に係る原稿搬送読取装置２２を有する画像形成装置２０では、原稿の読取順序を考慮しないといけない特定の画像配置が指定された場合、図７に示すプログラムを実行することによって、原稿を取忘れた場合には、原稿カバー１２２の開閉がされない（図７のステップＳ１１２又はステップＳ１２４での判定結果がＹＥＳとならない。）。そのため、原稿を取替え忘れたまま再度スタートキー１１８を押してしまう等の、原稿の正しい読取順序に影響を与えるような誤操作を防ぐことができる。
【００９０】
なお、上記した実施の形態には挙げていないが、２ｉｎ１等と同様の特定の画像配置が必要な印刷設定の例として、カードショット機能が挙げられる。カードショット機能とは、カードの表及び裏を別々に読取り、１枚の用紙に並べて印刷する機能である。
【００９１】
なお、上記の実施の形態では原稿搬送読取装置２２及び画像形成装置を、白黒／カラーを特定することなく説明を行なったが、本発明は白黒／カラーいずれの装置であっても適用可能である。
【００９２】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００９３】
【図１】本発明の実施の形態に係る原稿搬送読取装置２２の斜視図である。
【図２】原稿搬送読取装置２２の開蓋図である。
【図３】原稿搬送読取装置２２を有する画像形成装置２０の外観構成を表す斜視図である。
【図４】画像形成装置２０の内部構成を簡略化して示す断面図である。
【図５】原稿搬送読取装置２２の操作部３６を示す図である。
【図６】原稿搬送読取装置２２のハードウェア構成を示すブロック図である。
【図７】原稿搬送読取装置２２の制御部１００により実行され、利用者が設定した読取モードにしたがって原稿読取手順を制御するためのプログラムの制御構造を示すフローチャートである。
【図８】特別機能設定モードへ推移したときに表示パネル１１６に表示される特別機能設定画面１８０を表す図である。
【図９】マルチショット機能を選択した時に表示パネル１１６に表示されるマルチショット設定画面１９０を表す図である。
【図１０】両面コピー設定モードへ推移したときに表示パネル１１６に表示される両面コピー設定画面２００を表す図である。
【図１１】原稿の読取開始を案内する読取開始メッセージ２１０を表す図である。
【図１２】原稿の取替えを促す表示２２０を表す図である。
【符号の説明】
【００９４】
２０  画像形成装置
２２  原稿搬送読取装置
３６  操作部
１００  制御部
１０２  ＲＯＭ
１０４  ＲＡＭ
１１４  操作パネル
１１６  表示パネル
１１７  レディランプ
１１８  スタートキー
１２０  ＡＤＦ
１２２  原稿カバー
１２８  原稿カバー開閉検知センサ
１３０  反射型センサ
２２２  読取終了キー
【図１】
0004669025.tif 000002
【図２】
0004669025.tif 000003
【図３】
0004669025.tif 000004
【図４】
0004669025.tif 000005
【図５】
0004669025.tif 000006
【図６】
0004669025.tif 000007
【図７】
0004669025.tif 000008
【図８】
0004669025.tif 000009
【図９】
0004669025.tif 000010
【図１０】
0004669025.tif 000011
【図１１】
0004669025.tif 000012
【図１２】
0004669025.tif 000013